(57)【要約】【課題】効率よくブラックマトリクスを目立たなくさせるプロジェクタを提供する。【解決手段】プロジェクタは、投写レンズ６の可動部６１を主光軸に沿って進退移動させて投写される画像の結像状態を周期的に変化させている。これにより、投写された投写画像は、結像状態が良好な状態と結像状態が悪化した状態とが周期的に交互に変化される。したがって、これらの投写画像を時間積分すると、ブラックマトリクスがぼやけて薄くなり、目立たなくさせることができる。【選択図】図２
2007208852.tif 000002
【特許請求の範囲】
【請求項１】
照明光学系から射出された光束を固定画素型の表示素子にて光変調させ、この光変調された光束を投写光学系にて投写させるプロジェクタであって、
投写される投写画像の結像状態を周期的に変化させる結像変化手段が設けられた
ことを特徴とするプロジェクタ。
【請求項２】
請求項１に記載のプロジェクタにおいて、
前記結像変化手段は、前記投写光学系を構成する複数の光学レンズのうち少なくともいずれか１つを周期的に主光軸方向に移動させる
ことを特徴とするプロジェクタ。
【請求項３】
請求項１に記載のプロジェクタにおいて、
前記結像変化手段は、前記光束の主光軸に対して交差する面内に設けられるとともに、屈折率の異なる光束透過面を有する光学素子と、前記光学素子を前記光束が通過する光路中で駆動させる駆動手段と、を備えた
ことを特徴とするプロジェクタ。
【請求項４】
請求項３に記載のプロジェクタにおいて、
前記光学素子は、前記光路の外方に設けられる回転軸を中心として回転可能に設けられるとともに、前記回転軸から径方向に向かって延出して前記光路上に挿入可能な前記光束透過面を備え、
前記駆動手段は、前記光学素子を、前記回転軸を中心として回転駆動させる
ことを特徴とするプロジェクタ。
【請求項５】
請求項３に記載のプロジェクタにおいて、
前記光学素子は、前記光路を通過する光束の径寸法と略同一径寸法に形成されて、前記光路の内方に設けられる回転軸を中心として回転可能に設けられるとともに、少なくとも一部に前記光束透過面を備え、
前記駆動手段は、前記光学素子を、前記回転軸を中心として回転駆動させる
ことを特徴とするプロジェクタ。
【請求項６】
請求項１に記載のプロジェクタにおいて、
前記結像変化手段は、前記光束の主光軸に対して交差する面内に設けられるとともに、光を拡散させる拡散面を有する光学素子と、前記光学素子を前記光束が通過する光路中で駆動させる駆動手段と、を備えた
ことを特徴とするプロジェクタ。
【請求項７】
請求項６に記載のプロジェクタにおいて、
前記光路の外方に設けられる回転軸を中心として回転可能に設けられるとともに、前記回転軸から径方向に向かって延出して前記光路上に挿入可能な前記拡散面を備え、
前記駆動手段は、前記光学素子を、前記回転軸を中心として回転駆動させる
ことを特徴とするプロジェクタ。
【請求項８】
請求項６に記載のプロジェクタにおいて、
前記光学素子は、前記光路を通過する光束の径寸法と略同一径寸法に形成されて、前記光路の内方に設けられる回転軸を中心として回転可能に設けられるとともに、少なくとも一部に前記拡散面を備え、
前記駆動手段は、前記光学素子を、前記回転軸を中心として回転駆動させる
ことを特徴とするプロジェクタ。
【請求項９】
請求項１に記載のプロジェクタにおいて、
前記結像変化手段は、印加電圧に応じて屈折率が変化する光学素子と、前記光学素子に印加する印加電圧を周期的に変化させる電圧制御手段と、を備えた
ことを特徴とするプロジェクタ。
【請求項１０】
請求項１ないし請求項９のいずれかに記載のプロジェクタにおいて、
複数色の光束に対応した複数の前記表示素子と、
これらの表示素子から射出された光束を合成する色合成光学系と、を備え、
前記結像変化手段は、前記色合成光学系を通過した光束の状態を変化させて、
投写される投写画像の結像状態を周期的に変化させる
ことを特徴とするプロジェクタ。
【発明の詳細な説明】
【技術分野】
【０００１】
本発明は、光束を拡大投写するプロジェクタに関する。
【背景技術】
【０００２】
従来、液晶表示素子から投写される投写画像のブラックマトリクスを目立たなくさせるプロジェクタが知られている（例えば、特許文献１参照）
【０００３】
この特許文献１に記載のものは、光源と、放物面鏡と、液晶表示素子と、投写レンズと、平行平板ガラスと、回転機構とを備えた投写型液晶表示装置である。この液晶表示装置では、液晶表示素子と投写レンズとの間に配置される平行平板ガラスを回転機構により光束に回転振動させて光軸を光束に平行移動させることで、ブラックマトリクスを目立たなくさせる構成が採られている。
【０００４】
【特許文献１】特開平０８−１７９２５９号公報（第４頁ないし第６頁、図１ないし図４参照）
【発明の開示】
【発明が解決しようとする課題】
【０００５】
ところで、特許文献１に記載のような従来の投写型液晶表示装置では、平行平板ガラスが回転振動される構成であるため、投写される画像のこの振動方向に沿った一方向にしか移動しない。したがって、上下左右方向のうち、例えば上下方向のみのブラックマトリクス、もしくは左右方向のブラックマトリクスの解消にしか対応することができず、上下左右の全方向のブラックマトリクスを解消させるためには、少なくとも２つの平行平板ガラスが必要となる。したがって、その分の光の損失が大きくなってしまうという問題が挙げられる。また、平行平板ガラスは、回転振動されている、すなわち回転運動の切り替えしによる往復運動により駆動されているため、回転運動の切り替えし時のエネルギー損失が大きくなり、力学的にも効率が悪くなるという問題が挙げられる。
【０００６】
本発明は、上記のような問題に鑑み、効率よくブラックマトリクスを目立たなくさせるプロジェクタを提供することを１つの目的とする。
【課題を解決するための手段】
【０００７】
本発明に係るプロジェクタは、照明光学系から射出された光束を固定画素型の表示素子にて光変調させ、この光変調された光束を投写光学系にて投写させるプロジェクタであって、投写される投写画像の結像状態を周期的に変化させる結像変化手段が設けられたことを特徴とする。
【０００８】
この発明によれば、プロジェクタは、表示素子の後段に投写される画像の結像状態を周期的に変化させる結像変化手段を備えている。これにより、投写された投写画像は、結像状態が良好である状態（ピントが合っている状態）と、結像状態が若干悪い状態（ピントが僅かにずれている状態）とを周期的に交互に変化させる。ここで、ピントがあっている状態では、ブラックマトリクスが鮮明に表示され、ピントが僅かにずれている状態では、画像がぼやけるため、ブラックマトリクスもぼやけて薄くなる。従って、このような投写画像の結像状態をある程度速い速度で周期的に変化させて、時間積分すると、ピントが合っている状態の時のブラックマトリクスと、ピントが僅かにずれている状態の時のブラックマトリクスとが合成されるため、ブラックマトリクスがぼやけて薄くなり、目立たなくさせることができる。
【０００９】
本発明では、前記結像変化手段は、前記投写光学系を構成する複数の光学レンズのうち少なくともいずれか１つを周期的に主光軸方向に移動させることが好ましい。
この発明によれば、結像変化手段は、投写光学系を構成する複数の光学レンズを周期的に主軸方向に移動させているので、上述のように、投写画像のピントを周期的に変化させることができる。また、投写光学系のレンズを主光軸に沿って移動させるだけの構成であり、複雑な構成が不要で、構成を簡単にできる。また、投写光学系を構成する光学レンズを利用するので、光路上において特別な光学部材が不要であり、光の損失も抑えることができ、効率よくブラックマトリクスを目立たなくさせることができる。
【００１０】
本発明では、前記結像変化手段は、前記光束の主光軸に対して交差する面内に設けられるとともに、屈折率の異なる光束透過面を有する光学素子と、前記光学素子を前記光束が通過する光路中で駆動させる駆動手段と、を備えたことを特徴とする。
この発明によれば、結像変化手段は、光束透過面を有する光学素子を駆動手段にて光路中で周期的に駆動させている。これにより、屈折率の異なる光束透過面を通過した投写画像を周期的に投写させることが可能となる。したがって、ある程度速い速度で結像状態を周期的に変化させながら投写させて時間積分すると、ブラックマトリクスがぼやけて薄くなり、目立たなくさせることができる。
【００１１】
この時、本発明では、前記光学素子は、前記光路の外方に設けられる回転軸を中心として回転可能に設けられるとともに、前記回転軸から径方向に向かって延出して前記光路上に挿入可能な前記光束透過面を備え、前記駆動手段は、前記光学素子を、前記回転軸を中心として回転駆動させることが好ましい。
この発明によれば、光学素子は、光路の外側に設けられる回転軸から径方向に向かって延出する光束透過面を備え、駆動手段は、この光学素子を回転駆動させている。これにより、駆動手段にて一定速度で光学素子を回転させると、周期的に光路中に屈折率の異なる光束透過面を通過させることができる。したがって、周期的に光束の光学的距離が変化し、投写画像の結像状態を変化させることができる。また、駆動手段は、光学素子を所定方向に回転駆動させるだけであるため、従来のように往復駆動させる必要がなく、力学的にも効率的となる。さらに、光学素子を駆動手段により回転させるだけの構成であるため、複雑な構成が不要であり、構成を簡単にできる。したがって、簡単な構成で効率よくブラックマトリクスを目立たなくさせることができる。
【００１２】
一方、本発明では、前記光学素子は、前記光路を通過する光束の径寸法と略同一径寸法に形成されて、前記光路の内方に設けられる回転軸を中心として回転可能に設けられるとともに、少なくとも一部に前記光束透過面を備え、前記駆動手段は、前記光学素子を、前記回転軸を中心として回転駆動させる構成としてもよい。
この発明によれば、一部に光束透過面が設けられた光学素子を光路内で回転させている。これにより、光路内で周期的に屈折率の異なる光束透過面が配置される位置を変更することができ、この光束透過面を透過した光束の光学的距離を変化させることで結像状態を変化させることができる。したがって、上記発明と同様に、簡単な構成で効率よくブラックマトリクスを目立たなくさせることができる。
【００１３】
また、本発明では、前記結像変化手段は、前記光束の主光軸に対して交差する面内に設けられるとともに、光を拡散させる拡散面を有する光学素子と、前記光学素子を前記光束が通過する光路中で駆動させる駆動手段と、を備えていることが好ましい。
ここで、拡散面とは、例えばガラス部材に拡散フィルムを貼付したものであってもよく、ガラス面の表面に凹凸を形成したものであってもよい。
この発明によれば、結像変化手段は、拡散面を有する光学素子を駆動手段にて光路中で周期的に駆動させている。これにより、拡散面を通過した投写画像を周期的に投写させることが可能となる。したがって、ある程度速い速度で結像状態を周期的に変化させながら投写させて時間積分すると、ブラックマトリクスがぼやけて薄くなり、目立たなくさせることができる。
【００１４】
この時、本発明では、前記光路の外方に設けられる回転軸を中心として回転可能に設けられるとともに、前記回転軸から径方向に向かって延出して前記光路上に挿入可能な前記拡散面を備え、前記駆動手段は、前記光学素子を、前記回転軸を中心として回転駆動させることが好ましい。
この発明によれば、光学素子は、光路の外側に設けられる回転軸から径方向に向かって延出する拡散面を備え、駆動手段は、この光学素子を回転駆動させている。これにより、駆動手段にて一定速度で光学素子を回転させると、周期的に光路中に拡散面を通過させることができる。したがって、周期的に光束の光が拡散されて、投写画像の結像状態を変化させることができる。また、駆動手段は、光学素子を所定方向に回転駆動させるだけであるため、上記発明と同様に、力学的にも効率的となる。さらに、光学素子を駆動手段により回転させるだけの構成であるため、複雑な構成が不要であり、構成を簡単にできる。したがって、簡単な構成で効率よくブラックマトリクスを目立たなくさせることができる。
【００１５】
一方、本発明では、前記光学素子は、前記光路を通過する光束の径寸法と略同一径寸法に形成されて、前記光路の内方に設けられる回転軸を中心として回転可能に設けられるとともに、少なくとも一部に前記拡散面を備え、前記駆動手段は、前記光学素子を、前記回転軸を中心として回転駆動させる構成としてもよい。
この発明によれば、一部に拡散面が設けられた光学素子を光路内で回転させている。これにより、光路内で周期的に光を拡散させる拡散面が配置される位置を変更することができ、結像状態を部分的に変化させることができる。したがって、上記発明と同様に、簡単な構成で効率よくブラックマトリクスを目立たなくさせることができる。
【００１６】
さらに、本発明では、前記結像変化手段は、印加電圧に応じて屈折率が変化する光学素子と、前記光学素子に印加する印加電圧を周期的に変化させる電圧制御手段と、を備えた構成としてもよい。
この発明によれば、印加電圧により屈折率が変化する例えば液晶板などの光学素子を設け、電圧制御手段によりこの光学素子に印加する印加電圧を周期的に変化させている。これにより、光学素子の屈折率を周期的に変化させることができ、上記発明と同様に、周期的に光学的距離を変化させて結像状態を変化させることができる。したがって、効率よくブラックマトリクスを目立たなくさせることができる。
【００１７】
そして、本発明では、複数色の光束に対応した複数の前記表示素子と、これらの表示素子から射出された光束を合成する色合成光学系と、を備え、前記結像変化手段は、前記色合成光学系を通過した光束の状態を変化させて、投写される投写画像の結像状態を周期的に変化させることが好ましい。
この発明によれば、プロジェクタは、複数色の光束、例えばＲ（赤色）Ｇ（緑色）Ｂ（青色）に対応した表示素子を備えており、結像変化手段は、これらの表示素子から射出された光束を色合成する色合成光学系を通過した光束の状態を変化させる。つまり、色合成光学系以降の光路上のどこかに設けられている。このため、結像変化手段は、複数の表示素子のそれぞれに対応して設ける必要がなく、色合成光学系の後段にただ１つだけ設けるだけでよく、構成を簡単にできる。
【発明を実施するための最良の形態】
【００１８】
〔第一の実施の形態〕
以下、本発明における第一の実施の形態を図面に基づいて説明する。図１は、本発明の第一の実施の形態に係るプロジェクタの光学系の概略を模式的に示す図である。図２は、投写レンズを構成する可動部の動作を模式的に示す図であり、投写レンズを構成する可動部の動作を模式的に示す図であり、（Ａ）は、可動部を光学装置に近接させた状態を模式的に示す図、（Ｂ）は、可動部を光学装置から離隔させた状態を模式的に示す図、（Ｃ）は、可動部をさらに光学装置から離隔させた状態を模式的に示す図である。図３は、可動部を駆動させた状態における投写画像の動作の概略を模式的に示す図であり、（Ａ）は、可動部を光学装置に近接させた状態における投写画像を模式的に示す図、（Ｂ）は、可動部を光学装置から離隔させた状態における投写画像を模式的に示す図であり、（Ｃ）は、可動部を光学装置からさらに離隔させた状態における投写画像を模式的に示す図である。
【００１９】
[プロジェクタの構成]
図１において、１は、本発明に係るプロジェクタであり、このプロジェクタ１は、光源から射出された光束を画像情報に応じて変調し、スクリーン等の投写面上に拡大投写する。このプロジェクタ１は、照明光学系としてのインテグレータ照明光学系２と、色分離光学系３と、リレー光学系４と、光学装置５と、投写光学系としての投写レンズ６と、光学筐体１０と、図示しない表示制御手段としての制御回路部と、などを備えている。光学筐体１０は、インテグレータ照明光学系２、色分離光学系３、リレー光学系４、および光学装置５を内部に収納している。
【００２０】
制御回路部は、例えばプロジェクタ１に形成される図示しないコネクタなどの外部入力部、電源ボタンや再生ボタンなどを構成する図示しない制御ボタン、および図示しない電源供給部などに電気的に接続されている。そして、外部入力部や制御ボタンなどから入力される操作信号を認識し、電源供給部からの電力をインテグレータ照明光学系２や、光学装置５などに供給する。また、制御回路部は、例えば外部入力部から入力された画像信号に基づいて光学装置５を制御し、画像信号に基づいた画像を投写させる制御をする。さらに、制御回路部は、後述する可動部６２を可動させて投写画像の結像状態を変化させている。
【００２１】
インテグレータ照明光学系２は、光源から射出された光束を照明光軸直交面内における照度を均一にするための光学系である。このインテグレータ照明光学系２は、光源装置２１、第１レンズアレイ２２、第２レンズアレイ２３、偏光変換素子２４、及び重畳レンズ２５を備えて構成される。
【００２２】
光源装置２１は、光源ランプ２１１およびリフレクタ２１２を備えている。そして、光源ランプ２１１から射出された放射状の光束は、リフレクタ２１２で反射されて略平行光束とされ、外部へと射出される。本実施の形態では、光源ランプ２１１として、高圧水銀ランプを採用し、リフレクタ２１２として、放物面鏡を採用している。なお、光源ランプ２１１としては、高圧水銀ランプに限らず、例えばメタルハライドランプやハロゲンランプ等を採用してもよい。また、リフレクタ２１２として放物面鏡に限らず、楕円面鏡からなるリフレクタの射出面に平行化凹レンズを配置した構成を採用してもよい。
【００２３】
第１レンズアレイ２２は、照明光軸方向から見てほぼ矩形状の輪郭を有する小レンズがマトリクス状に配列された構成を具備する。各小レンズは、光源ランプ２１１から射出された光束を部分光束に分割し、照明光軸方向に射出する。
【００２４】
第２レンズアレイ２３は、第１レンズアレイ２２と略同様の構成であり、小レンズがマトリクス状に配列された構成を具備する。この第２レンズアレイ２３は、重畳レンズ２５とともに、第１レンズアレイ２２の各小レンズの像を光学装置５の後述する固定画素型の表示素子としての液晶パネル５１上に結像させる機能を有する。
【００２５】
偏光変換素子２４は、第２レンズアレイ２３からの光を略１種類の偏光光に変換するものであり、これにより、光学装置５での光の利用効率が高められている。具体的に、偏光変換素子２４によって略１種類の偏光光に変換された各部分光束は、重畳レンズ２５によって最終的に光学装置５の後述する液晶パネル５１上にほぼ重畳される。偏光光を変調するタイプの液晶パネル５１を用いたプロジェクタでは、１種類の偏光光しか利用できないため、ランダムな偏光光を発する光源ランプ２１１からの光束の略半分が利用されない。このため、偏光変換素子２４を用いることにより、光源ランプ２１１から射出された光束を略１種類の偏光光に変換し、光学装置５における光の利用効率を高めている。なお、このような偏光変換素子２４は、例えば、特開平８−３０４７３９号公報に紹介されている。
【００２６】
色分離光学系３は、２枚のダイクロイックミラー３１，３２と、反射ミラー３３とを備える。インテグレータ照明光学系２から射出された複数の部分光束は、２枚のダイクロイックミラー３１，３２により赤（Ｒ）、緑（Ｇ）、青（Ｂ）の３色の色光に分離される。
【００２７】
リレー光学系４は、入射側レンズ４１と、リレーレンズ４２と、反射ミラー４３，４４とを備える。このリレー光学系４は、色分離光学系３で分離された色光である青色光を光学装置５の後述する青色光用の液晶パネル５１まで導く機能を有している。
【００２８】
この際、色分離光学系３のダイクロイックミラー３１では、インテグレータ照明光学系２から射出された光束のうち、青色光成分と緑色光成分とは透過し、赤色光成分は反射する。ダイクロイックミラー３１によって反射した赤色光は、反射ミラー３３で反射し、フィールドレンズ４５を通って、後述する赤色光用の液晶パネル５１に到達する。このフィールドレンズ４５は、第２レンズアレイ２３から射出された各部分光束をその中心軸（主光線）に対して平行な光束に変換する。他の緑色光、青色光用の液晶パネル５１の光入射側に設けられたフィールドレンズ４５も同様である。
【００２９】
また、ダイクロイックミラー３１を透過した青色光と緑色光のうちで、緑色光は、ダイクロイックミラー３２によって反射し、フィールドレンズ４５を通って、後述する緑色光用の液晶パネル５１に到達する。一方、青色光は、ダイクロイックミラー３２を透過してリレー光学系４を通り、さらにフィールドレンズ４５を通って、後述する青色光用の液晶パネル５１に到達する。
【００３０】
なお、リレー光学系４には、３つの色光のうちの青色光を通す構成としたが、これに限らず、例えば、赤色光を通す構成としてもよい。
【００３１】
光学装置５は、入射された光束を画像情報に応じて変調してカラー画像（光学像）を形成し、形成したカラー画像を拡大投写する。この光学装置５は、図１に示すように、３つの固定画素型の表示素子としての液晶パネル５１（赤色光用の液晶パネルを５１Ｒ、緑色光用の液晶パネルを５１Ｇ、青色光用の液晶パネルを５１Ｂとする）と、これら液晶パネル５１の光束入射側および光束射出側にそれぞれ対向配置される入射側偏光板５２および光学変換板５３と、色合成光学系としてのクロスダイクロイックプリズム５４と、を備える。そして、これらのうち、３つの液晶パネル５１、３つの光学変換板５３、およびクロスダイクロイックプリズム５４は、図示しない保持枠および保持部材により一体化されて光学筐体１０に取り付けられている。
【００３２】
入射側偏光板５２は、偏光変換素子２４で偏光方向が略一方向に揃えられた各色光が入射され、入射された光束のうち、偏光変換素子２４で揃えられた光束の偏光軸と略同一方向（第１偏光方向）の偏光光のみ透過させ、その他の光束を吸収するものである。この入射側偏光板５２は、図示を省略するが、透光性基板上に偏光膜が貼付された構成を有している。また、透光性基板を用いずに、偏光膜をフィールドレンズ４５に貼り付ける構成を採用してもよい。
【００３３】
液晶パネル５１は、図示は省略するが、複数の矩形状のパネル部材を敷き詰めて構成されており、これらのパネル部材に電気光学物質である液晶が密閉封入されている。そして、前記制御回路部から出力される画像信号に応じて、各パネル部材の前記液晶の配向状態が制御され、入射側偏光板５２から射出された偏光光束の偏光方向を変調する。また、液晶パネルの各パネル部材は、例えば格子状の配線により囲まれており、この格子状の配線部では遮光されている。これにより、液晶パネル５１に光を透過させると、図３（Ｂ）に示すように、各パネル部材を透過して光変調された画像光により各画素７１が形成され、これらの画素７１を囲うように、配線部で遮光された部分であるブラックマトリクス７２が形成される。
【００３４】
光学変換板５３は、図示しない第１光学変換板５３Ａと、図示しない第２光学変換板５３Ｂとから構成されている。
第１光学変換板は、前述の入射側偏光板５２と略同様の構成を有し、入射された光束のうち、所定方向（第２偏光方向）の偏光光のみを透過させ、その他の光束を吸収するものである。第２光学変換板は、液晶パネル５１から射出された光束のうち、所定方向の偏光光のみを透過させ、その他の光束を吸収するとともに、液晶パネル５１から射出された光束の視野角を拡大する。
【００３５】
クロスダイクロイックプリズム５４は、光学変換板５３から入射される赤色光、青色光、および緑色光を合成してカラー画像を形成し、投写レンズ６に射出する。
【００３６】
投写レンズ６は、光学筐体１０の一面に設けられる開口に臨んで設けられており、先端部分がプロジェクタ１の図示しない外装ケースから露出可能に配置されており、クロスダイクロイックプリズム５４にて形成されたカラー画像を拡大投写する。この投写レンズ６は、筒状の鏡筒本体６１と、鏡筒本体６１の先端側に設けられる結像変化手段としての可動部６２とを備えている。そして、これらの鏡筒本体６１および可動部６２の内部には、それぞれ複数の光学レンズが収納されて組みレンズを構成している。
可動部６２は、図示しない駆動装置を備えている。この駆動装置は、制御回路部の制御により可動部６２を、図２（Ａ）ないし（Ｃ）に示すように、主光軸方向に沿って進退させる。図２において、可動部６２が（Ｂ）の状態に位置するときは、良好な結像状態となるように、すなわちピントが合った状態で、クロスダイクロイックプリズム５４から射出された画像光が投写される。一方、図２（Ａ）に示すように、可動部６２が光学装置５側に近接する状態に移動したとき、および図２（Ｃ）に示すように、光学装置５から離隔する状態に移動したとき、結像状態が若干悪化し、ピントが僅かにずれた状態で画像光が投写される。
【００３７】
[プロジェクタの動作および作用効果]
次にプロジェクタ１の動作および作用効果について図面に基づいて説明する。図４は、時間積分された投写画像を拡大表示したものを模式的に示す図である。
【００３８】
プロジェクタ１を駆動させると、先ず、制御回路部はインテグレータ照明光学系２の光源装置２１を駆動させ、照明光を主光軸に沿って射出させる。そして、インテグレータ照明光学系２から射出された光は、色分離光学系３およびリレー光学系４により、赤色光、青色光、および緑色光の三色に分離され、光学装置５の液晶パネル５１に入射する。
ここで、制御回路部は、入力された画像信号に応じて適宜液晶パネル５１の各パネル部材の液晶の配向状態を変化させる。そして、液晶パネル５１にて光変調された光は、クロスダイクロイックプリズム５４に入射する。このクロスダイクロイックプリズム５４では、各色の液晶パネル５１から入射される各色光を合成して画像光を生成し、投写レンズ６に射出する。
【００３９】
また、制御回路部は、駆動装置を制御し、投写レンズ６の可動部６２を図２（Ａ）ないし（Ｃ）のように、主光軸方向に進退させる。このため、投写レンズ６から投写される画像は、図３（Ａ）ないし（Ｃ）に示すように、ピントが合った状態とピントが僅かにずれた状態とで交互に表示される。すなわち、可動部６２が図２（Ｂ）にある状態では、投写画像の結像状態が良好になり、図３（Ｂ）に示すような、ピントが合った状態の投写画像を投写させる。一方、可動部６２が、図２（Ａ）にある状態、および図２（Ｃ）にある状態では、投写画像の結像状態が悪化し、図３（Ａ）および（Ｃ）に示すような、ピントが僅かにずれた状態の投写画像が投写される。
【００４０】
ここで、制御回路部は、例えば６０Ｈｚ以上の移動周期にて周期的に可動部６２を進退移動させる。このため、投写される画像を時間積分すると、図４に示すように、ピントが合っている投写画像と、ピントが僅かにずれている投写画像とが合成されて、ブラックマトリクス７２が目立たない投写画像を表示させることができる。
【００４１】
また、上記のように、可動部６２を進退させて、投写レンズ６の組レンズを構成する複数の光学レンズのうちのいずれかを進退させるだけの構成であるため、ブラックマトリクス７２を解消するための新たな光学部材が不要となり、光の損失を抑えることができ、効率よくブラックマトリクス７２を目立たなくさせることができる。
【００４２】
さらに、クロスダイクロイックプリズム５４を通過した光束の状態を変化させるように、クロスダイクロイックプリズム５２の後段に配置される投写レンズ６に可動部６２を設けているため、液晶パネル５１から射出される光のそれぞれについて結像変化手段を設ける必要がなく、簡単な構成でブラックマトリクス７２を解消させることができる。
【００４３】
〔第二の実施の形態〕
次に、本発明の第二の実施の形態を図面に基づいて説明する。以下の説明では、前記第一実施形態と同様の構造および同一部材には同一符号を付して、その詳細な説明は省略または簡略化する。図５は、第二の実施の形態に係るプロジェクタの光学系を模式的に示す図である。図６は、第二の実施の形態の結像変化手段の構成を模式的に示す斜視図である。図７（Ａ）は、光路中にガラス板が挿入された状態の投写画像を模式的に示す図であり、図７（Ｂ）は、光路中にガラス板が挿入されない状態の投写画像を模式的に示す図である。
【００４４】
第二の実施の形態のプロジェクタ１Ａは、第一の実施の形態のプロジェクタ１と同様に、インテグレータ照明光学系２と、色分離光学系３と、リレー光学系４と、光学装置５と、を光学筐体１０の内部に収納して構成されており、光学装置５から射出される画像光を投写レンズ６Ａにて例えば図示しないスクリーンなどに拡大投写する。この投写レンズ６Ａは、第一の実施の形態のような可動部６２は設けられず、鏡筒内に複数の光学レンズが配置されただけの構成が採られている。
【００４５】
また、プロジェクタ１Ａは、光学装置５と投写レンズ６Ａとの間に、結像変化手段８が設けられている。この結像変化手段８は、結像変化手段を構成する光学素子としての可動光学部材８１と、駆動手段としてのモータ８２とを備えている。
【００４６】
可動光学部材８１は、図６に示すように、回転中心軸８Ａに対して互いに点対称となるように、扇状に延出する一対の光束透過面としてのガラス板８１１を備えている。これらのガラス板８１１は、光学装置５から射出される光束が通過する光路を遮蔽可能な長さ寸法に形成されている。また、これらのガラス板８１１は、それぞれ扇中心角が略直角となるように形成されている。
【００４７】
モータ８２は、制御回路部と電気的に接続されており、制御回路部の制御により駆動し、可動光学部材８１を一定速度で回転駆動させる。また、モータ８２は制御回路部の制御により静止と駆動との切り替えが可能であってもよい。
【００４８】
上記のような構成により、可動光学部材８１がモータ８２により回転中心軸８Ａを中心として一定速度で回転駆動されると、光学装置５のクロスダイクロイックプリズム５４と投写レンズ６Ａとの間の光路中に周期的に屈折率が空気と異なるガラス板８１１が挿入される。これにより、光路中にガラス板８１１が挿入された状態では、画像光の光学的距離が変化して投写レンズ６Ａから投写される投写画像の結像状態が変化し、図７（Ａ）に示すようなピントが僅かにずれた投写画像が表示される。一方、光路中にガラス板８１１が挿入されない状態では、ピントが合った状態の投写画像が表示される。
【００４９】
ここで、制御回路部は、図７（Ａ）および（Ｂ）に示すような投写画像が、例えば６０Ｈｚの周期で交互に切り替わるようにモータ８２を駆動させる。このため、投写画像を時間積分すると、ピントが合った状態の投写画像と、ピントが僅かにずれた投写画像とが合成されて、図４に示すように、ブラックマトリクス７２が目立たない投写画像を表示させることができる。
【００５０】
また、可動光学部材８１は、モータ８２の駆動により回転駆動させているので、往復回転振動などに比べて力学的エネルギーの損失を抑えることができる。したがって、効率よくブラックマトリクス７２を解消させることができる。
【００５１】
さらに、クロスダイクロイックプリズム５４を通過した光束の状態を変化させるように、クロスダイクロイックプリズム５４と投写レンズ６Ａとの間の光路に結像変化手段８を設けたので、各液晶パネル５１から射出される光束のそれぞれに対して結像状態を変化させる必要がなく、色合成された光束の結像状態を変化させるだけでよいため、構成をより簡単にすることができる。なお、結像変化手段は、クロスダイクロイックプリズム５４を通過した光束の状態を変化させればよいので、クロスダイクロイックプリズム５４と投写レンズ６Ａとの間の光路に限らず、クロスダイクロイックプリズム５４から射出した光束の光路上のどこかで作用させる構成でればよい。
【００５２】
〔第三の実施の形態〕
次に、本発明の第三の実施の形態を図面に基づいて説明する。図８は、第三の実施の形態に係るプロジェクタ１Ｂの光学系の概略を模式的に示す図である。図９は、第三の実施の形態における結像変化手段を構成する可動光学部材の概略を模式的に示す斜視図である。
【００５３】
第三の実施の形態のプロジェクタ１Ｂは、上記第二の実施の形態と略同様の構成であり、図９に示すように、インテグレータ照明光学系２、色分離光学系３、リレー光学系４、光学装置５、投写レンズ６Ａ、光学筐体１０、および制御回路部を備えている。そして、光学装置５のクロスダイクロイックプリズム５４と投写レンズ６Ａとの間には、可動光学部材８３が挿入されている。
【００５４】
第三の実施の形態のプロジェクタ１Ｂは、第二の実施の形態のプロジェクタ１Ａの結像変化手段８を変形したものである。第三の実施の形態のプロジェクタ１Ｂにおける結像変化手段８Ｂは、モータ８２と、可動光学部材８３と、駆動手段としてのゴムローラ８４とを備えている。
【００５５】
可動光学部材８３は、光学装置５と投写レンズ６Ａとの間の、画像光の光路中に配置されている。この可動光学部材８３は、略環状の外周枠８３１と、外周枠８３１の内部に設けられる光束透過面としてのガラス板８３２と、を備えている。外周枠８３１は、クロスダイクロイックプリズム５４から射出される画像光の光路径寸法と略同一径寸法に形成されており、その外周面がゴムローラ８４に当接されている。ガラス板８３２は、外周枠８３１の略半円の形状に形成され、外周縁が外周枠８３１の枠内周面に当接されて固定されている。また、外周枠８３１のガラス板８３２が配置されていない残部は、空洞が形成されている。
【００５６】
ゴムローラ８４は、中心位置にモータ８２が接続され、モータ８２の駆動により、回転駆動する。また、ゴムローラ８４の外周面には、可動光学部材８３が当接しており、ゴムローラ８４の自転により可動光学部材８３も回転駆動される。
なお、ゴムローラ８４により可動光学部材８３が駆動する構成を示したが、これに限定されず、可動光学部材８３の外周枠８３１の外周面に歯車が形成され、この歯車に噛合するギアを回転駆動させる構成としてもよい。
【００５７】
上記のような構成では、ガラス板８３２を通過した一部の光束において、光学的距離が変化するため、投写画像の一部の結像状態が変化し、ピントが僅かにずれた状態となる。一方、ガラス板８３２を通過しない残部の光束は、光学的距離が変化しないため、ピントが合った状態の投写画像が表示される。そして、可動光学部材８３を自転駆動させることで、光路中のガラス板８３２の位置が周期的に変化し、上記のようなピントが合った状態の部分と、ピントが僅かにずれた状態の部分とが周期的に入れ替わる。また、制御回路部は、例えば６０Ｈｚの周期でモータ８２を回転駆動させる。これにより、投写画像を時間積分すると、ピントが合った状態の投写画像と、ピントが僅かにずれた投写画像とが合成されて、図４に示すように、ブラックマトリクス７２が目立たない投写画像を表示させることができる。
【００５８】
また、この構成においても、上記第二の実施形態と同様に、可動光学部材８３を回転駆動させているため、力学的エネルギーの損失を抑えることができる。
【００５９】
〔第四の実施の形態〕
次に、本発明の第四の実施の形態を図面に基づいて説明する。図１０は、第四の実施の形態における結像変化手段の概略を模式的に示す斜視図である。第四の実施の形態に係るプロジェクタは、第二の実施の形態のプロジェクタ１Ｂの結像変化手段８を変形したものであり、その他の構成の説明は省略、もしくは簡略化する。
【００６０】
第四の実施の形態のプロジェクタにおける結像変化手段８Ｃは、図１０に示すように、可動光学部材８１Ａと、モータ８２とを備えており、第二の実施の形態の結像変化手段８と同様に、可動光学部材８１Ａがモータ８２の駆動により回転駆動可能となるように設けられている。
【００６１】
可動光学部材８１Ａは、回転中心軸８Ａに対して互いに点対称となる光束透過面としての第一ガラス板８１１Ａ、および光束透過面としての第二ガラス板８１２Ａを備えている。これらの第一および第二ガラス板８１１Ａ，８１２Ａは、それぞれ半円形状に形成され、直径部分にて連結されている。また、これらの第一ガラス板８１１Ａおよび第二ガラス板８１２Ａは、互いに異なる屈折率の素材にて形成されている。このうち、例えば第一ガラス板８１１Ａは、投写画像の結像状態が良好となるように、すなわちピントが合った状態となるように屈折率が設定されており、第二ガラス板８１２Ａは、ピントが僅かにずれた状態となるように屈折率が設定されている。
【００６２】
上記のようなプロジェクタにおいても、可動光学部材８１Ａがモータ８２により回転中心軸８Ａを中心として一定速度で回転駆動されると、光学装置５のクロスダイクロイックプリズム５４と投写レンズ６Ａとの間の光路中に周期的に屈折率の異なる第一ガラス板８１１Ａおよび第二ガラス板８１２Ａの屈折率が交互に挿入される。これにより、光路中に例えば第一ガラス板８１１Ａが挿入された状態では、結像状態が良好になり、ピントが合った状態の投写画像が投写され、光路中に第二ガラス板８１２Ａが挿入された状態では、結像状態が悪化した、ピントが僅かにずれた状態の投写画像が投写される。そして、制御回路部により、例えば６０Ｈｚの周期でモータ８２を駆動させ、投写画像を時間積分すると、ピントが合った状態の投写画像と、ピントが僅かにずれた投写画像とが合成されて、図４に示すように、ブラックマトリクス７２が目立たない投写画像を表示させることができる。
【００６３】
〔第五の実施の形態〕
次の本発明の第五の実施の形態を図面に基づいて説明する。図１１は、第五の実施の形態における結像変化手段を構成する可動光学部材の概略を模式的に示す斜視図である。第五の実施の形態に係るプロジェクタは、第三の実施の形態のプロジェクタ１Ｂの結像変化手段８Ｂを変形したものであり、その他の構成の説明は省略、もしくは簡略する。
【００６４】
第五の実施形態のプロジェクタにおける結像変化手段８Ｄは、モータ８２と、可動光学部材８３Ａと、ゴムローラ８４とを備えている。モータ８２およびゴムローラ８４は、第三の実施の形態の結像変化手段８Ｂと同様であり、その説明を省略する。
【００６５】
可動光学部材８３Ａは、外周枠８３１と、光束透過面としての第一ガラス板８３２Ａおよび第二ガラス板８３３Ａとを備えている。外周枠８３１は、第三の実施の形態と同様に、画像光の光路径寸法と略同一径寸法に形成されており、その外周面がゴムローラ８４に当接されている。第一および第二ガラス板８３２Ａ，８３３Ａは、外周枠８３１の略半円形状に形成されている。これらの第一および第二ガラス板８３２Ａ，８３３Ａは、互いの直径部分が当接された状態で外周枠８３１に嵌合され、外周縁が外周枠８３１の枠内周面に当接されて固定されている。また、これらの第一ガラス板８３２Ａおよび第二ガラス板８３３Ａは、互いに異なる屈折率の素材にて形成されている。このうち、例えば第一ガラス板８３２Ａは、投写画像の結像状態が良好となるように、すなわちピントが合った状態となるように屈折率が設定されており、第二ガラス板８３３Ａは、ピントが僅かにずれた状態となるように屈折率が設定されている。
【００６６】
上記のようなプロジェクタでは、第一ガラス板８３２Ａを通過した光束の一部は、ピントが合った状態の投写画像として投写され、第二ガラス板８３３Ａを通過した光束の残部は、ピントが僅かにずれた状態の投写画像として投写される。そして、可動光学部材８３Ａを自転駆動させることで、光路中の第一および第二ガラス板８３２Ａ，８３３Ａの位置が周期的に変化し、上記のようなピントが合った状態の部分と、ピントが僅かにずれた状態の部分とが周期的に入れ替わる。そして、この可動光学部材８３Ａを例えば６０Ｈｚの周期で自転駆動させて、投写画像を時間積分すると、ピントが合った状態の投写画像と、ピントが僅かにずれた投写画像とが合成されて、図４に示すように、ブラックマトリクス７２が目立たない投写画像を表示させることができる。
【００６７】
〔第六の実施の形態〕
次に、本発明の第六の実施の形態を図面に基づいて説明する。図１２は、第六の実施の形態における結像変化手段の概略を模式的に示す斜視図である。第六の実施の形態に係るプロジェクタは、第二の実施の形態のプロジェクタ１Ａの結像変化手段８を変形したものであり、その他の構成の説明は省略、もしくは簡略化する。
【００６８】
第六の実施の形態のプロジェクタにおける結像変化手段８Ｅは、図１２に示すように、可動光学部材８１Ｂと、モータ８２とを備えており、第二の実施の形態の結像変化手段８と同様に、可動光学部材８１Ｂがモータ８２の駆動により回転駆動可能となるように設けられている。
【００６９】
可動光学部材８１Ｂは、回転中心軸８Ａに対して互いに点対称となるように、扇状に延出する一対の光束透過面としてのガラス板８１１Ｂを備えており、これらのガラス板８１１Ｂの表面には、画像光を拡散させる拡散面としての拡散フィルム８１３が貼付されている。また、これらのガラス板８１１Ｂは、それぞれ扇中心角が略直角となるように形成されている。なお、ガラス板８１１Ｂの表面に拡散フィルム８１３が貼付された構成に限らず、光を拡散する凹凸が形成されたガラス板を用いる構成などとしてもよい。
【００７０】
上記のようなプロジェクタでは、可動光学部材８１Ｂがモータ８２により回転中心軸８Ａを中心として一定速度で回転駆動されると、光学装置５のクロスダイクロイックプリズム５４と投写レンズ６Ａとの間の光路中に周期的に拡散フィルム８１３が貼付されたガラス板８１１が挿入される。これにより、光路中に例えばガラス板８１１Ｂが挿入された状態では、拡散フィルム８１３により光が拡散され、結像状態が悪化し、ピントが僅かにずれた状態の投写画像が投写される。一方、光路中にガラス板８１１Ｂが挿入されない状態では、結像状態が良好になり、ピントが合った状態の投写画像が投写される。そして、制御回路部により例えば６０Ｈｚの周期でモータ８２を駆動させ、投写画像を時間積分すると、ピントが合った状態の投写画像と、ピントが僅かにずれた投写画像とが合成されて、図４に示すように、ブラックマトリクス７２が目立たない投写画像を表示させることができる。
【００７１】
〔第七の実施の形態〕
次の本発明の第七の実施の形態を図面に基づいて説明する。図１３は、第七の実施の形態における結像変化手段を構成する可動光学部材の概略を模式的に示す斜視図である。第七の実施の形態に係るプロジェクタは、第三の実施の形態のプロジェクタ１Ｂの結像変化手段８Ｂを変形したものであり、その他の構成の説明は省略、もしくは簡略する。
【００７２】
第七の実施形態のプロジェクタにおける結像変化手段８Ｆは、モータ８２と、可動光学部材８３Ｂと、ゴムローラ８４とを備えている。モータ８２およびゴムローラ８４は、第三の実施の形態の結像変化手段８Ｂと同様であり、その説明および図示を省略する。
【００７３】
可動光学部材８３Ｂは、外周枠８３１と、光束透過面としてのガラス板８３２Ｂとを備えている。外周枠８３１は、第三の実施の形態と同様に、画像光の光路径寸法と略同一径寸法に形成されており、その外周面がゴムローラ８４に当接されている。ガラス板８３２Ｂは、外周枠８３１の略半円形状に形成され、外周縁が外周枠８３１の枠内周面に当接されて固定されている。このガラス板８３２Ｂの表面には、光を拡散させる拡散フィルム８１３が貼付されている。なお、拡散フィルム８１３の貼付に限らず、ガラス板８３２Ｂの表面に凹凸が形成されて、光を拡散する構成などとしてもよい。
【００７４】
上記のような構成では、ガラス板８３２Ｂを通過した一部の光束の一部は、拡散フィルム８１３により拡散されるため、光学的距離が変化する。これにより、投写画像の一部の結像状態が変化し、ピントが僅かにずれた状態となる。一方、ガラス板８３２を通過しない残部の光束は、光学的距離が変化しないため、ピントが合った状態の投写画像が表示される。そして、可動光学部材８３を自転駆動させることで、光路中のガラス板８３２の位置が周期的に変化されるので、上記のようなピントが合った状態の部分と、ピントが僅かにずれた状態の部分とを周期的に入れ替えることができる。また、制御回路部は、例えば６０Ｈｚの周期でモータ８２を回転駆動させることにより、投写画像を時間積分すると、ピントが合った状態の投写画像と、ピントが僅かにずれた投写画像とが合成されて、図４に示すように、ブラックマトリクス７２が目立たない投写画像を表示させることができる。
【００７５】
〔第八の実施の形態〕
次に、本発明の第八の実施の形態を図面に基づいて説明する。図１４は、第八の実施の形態に係るプロジェクタの光学系を模式的に示す図である。図１５は、第八の実施の形態における結像変化手段の概略構成を模式的に示す図である。
【００７６】
図１４および図１５において、第八の実施の形態のプロジェクタ１Ｃは、上記第一ないし第七の実施の形態と同様に、インテグレータ照明光学系２と、色分離光学系３と、リレー光学系４と、光学装置５と、を光学筐体１０の内部に収納して構成されており、光学装置５から射出される画像光を投写レンズ６Ａにて例えば図示しないスクリーンなどに拡大投写する。この投写レンズ６Ａは、第一の実施の形態のような可動部６２は設けられず、鏡筒内に複数の光学レンズが配置されただけの構成が採られている。
【００７７】
また、プロジェクタ１Ｃは、光学装置５と投写レンズ６Ａとの間に、結像変化手段を構成する光学素子としての液晶光学部材９が設けられている。この液晶光学部材９は、光入射面および光射出面にそれぞれ電極９１を備えており、これらの電極９１間に挟まれる封入部９２に液晶が密封封入されている。そして、電極９１はそれぞれ電圧制御手段としても機能する制御回路部に電気的に接続されている。これにより、液晶光学部材９は、制御回路部から印加される印加電圧に応じて、封入部９２の液晶の配向状態が制御され、印加電圧に応じた屈折率に変化する。
【００７８】
このような構成のプロジェクタ１Ｃでは、制御回路部は、例えば６０Ｈｚの周期で液晶光学部材９の屈折率を周期的に変化させる。これにより、投写画像の結像状態が周期的に変化し、上記実施の形態と同様に、ピントの合った状態の投写画像と、ピントが僅かにずれた状態の投写画像を交互に切り替えることができ、これらの投写画像を時間積分することで、ブラックマトリクス７２が目立たない画像を表示させることができる。
【００７９】
[実施の形態の変形例]
なお、本発明は前述の実施形態に限定されるものではなく、本発明の目的を達成できる範囲での変形、改良等は本発明に含まれるものである。
【００８０】
例えば、上記実施の形態において、画像光が投写されるスクリーンについて、透過型や反射型のいずれの構成を用いてもよい。
【００８１】
また、プロジェクタ１，１Ａ，１Ｂ，１Ｃに用いられる光源装置としては、上記のようなインテグレータ照明光学系２を用いてもよく、例えばレーザ光源によるレーザ光を射出する照明光学系を用いてもよい。
【００８２】
さらに、第一の実施の形態において、可動部６２に配置される複数の投写レンズを移動させる構成としたが、可動部６２に１つの投写レンズのみが配置されこの投写レンズのみを主光軸方向に沿って進退移動させる構成としてもよい。
【００８３】
そして、上記の実施の形態において、結像変化手段を周期的に絶えず駆動させてブラックマトリクス７２を解消させる構成としてもよく、利用者の操作により、適宜駆動を停止可能な構成としてもよい。すなわち、第一の実施の形態において、可動部６２を停止可能な構成としてもよく、第二ないし第七の実施の形態において、モータ８２を停止させて常時ピントの合った状態の投写画像を投写させる構成としてもよい。また、本発明の実施形態において、結像変化手段を周期的に駆動させて投写される投写画像の結像状態を周期的に変化させる周期は、実施形態で示した例に限らない。しかし、一般に人間の目が知覚する場合にちらつきを抑えたり、時間積分を十分に行ったりすることを考慮して、できる限り結像状態の変化の周期は高速な方が望ましいため、60Hz以上の周波数となる結像状態の変化が好ましい。また、本発明の実施形態では、色合成光学系を通過した光束の状態を変化させて、投写される投写画像の結像状態を周期的に変化させる例を示したが、３つの液晶パネルのそれぞれの後段に３つの結像変化手段をそれぞれ設けても、同様の効果を実現できる。
【００８４】
また、第二の実施の形態において、可動光学部材８１の一対のガラス板８１１をそれぞれ異なる屈折率にて形成してもよい。また、ガラス板の数は何枚でも構わない。
【００８５】
さらに、第四および第五の実施の形態において、可動光学部材８１Ａ，８３Ａは、さらに多くの屈折率の異なるガラス板を備えた構成としてもよい。
【００８６】
そして、上記したように、第三、第五、第七の実施の形態において、外周枠８３１とゴムローラ８４とを当接させて、可動光学部材８３，８３Ａ，８３Ｂを自転駆動させる構成を示したが、例えば外周枠８３１の外周面に歯車が形成され、この歯車と噛合するギアをモータ８２により回転駆動させる構成としてもよい。
【００８７】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。同時に、光学系や表示素子の種類に関しても本発明を逸脱しない範囲で変更することができる。
したがって、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【産業上の利用可能性】
【００８８】
本発明は、画像光をスクリーンに投写させるプロジェクタに利用できる。
【図面の簡単な説明】
【００８９】
【図１】本発明の第一の実施の形態に係るプロジェクタの光学系の概略を模式的に示す図である。
【図２】投写レンズを構成する可動部の動作を模式的に示す図であり、（Ａ）は、可動部を光学装置に近接させた状態を模式的に示す図、（Ｂ）は、可動部を光学装置から離隔させた状態を模式的に示す図、（Ｃ）は、可動部をさらに光学装置から離隔させた状態を模式的に示す図である。
【図３】可動部を駆動させた状態における投写画像の動作の概略を模式的に示す図であり、（Ａ）は、可動部を光学装置に近接させた状態における投写画像を模式的に示す図、（Ｂ）は、可動部を光学装置から離隔させた状態における投写画像を模式的に示す図であり、（Ｃ）は、可動部を光学装置からさらに離隔させた状態における投写画像を模式的に示す図である。
【図４】時間積分された投写画像の一部を模式的に示す図である。
【図５】第二の実施の形態に係るプロジェクタの光学系を模式的に示す図である。
【図６】第二の実施の形態の結像変化手段の構成を模式的に示す斜視図である。
【図７】（Ａ）は、光路中にガラス板が挿入された状態の投写画像を模式的に示す図であり、（Ｂ）は、光路中にガラス板が挿入されない状態の投写画像を模式的に示す図である。
【図８】第三の実施の形態に係るプロジェクタの光学系の概略を模式的に示す図である。
【図９】第三の実施の形態における結像変化手段を構成する可動光学部材の概略を模式的に示す斜視図である。
【図１０】第四の実施の形態における結像変化手段の概略を模式的に示す斜視図である。
【図１１】第五の実施の形態における結像変化手段を構成する可動光学部材の概略を模式的に示す斜視図である。
【図１２】第六の実施の形態における結像変化手段の概略を模式的に示す斜視図である。
【図１３】第七の実施の形態における結像変化手段を構成する可動光学部材の概略を模式的に示す斜視図である。
【図１４】第八の実施の形態に係るプロジェクタの光学系を模式的に示す図である。
【図１５】第八の実施の形態における結像変化手段の概略構成を模式的に示す図である。
【符号の説明】
【００９０】
１，１Ａ，１Ｂ，１Ｃ…プロジェクタ、２…照明光学系としてのインテグレータ照明光学系、５１…固定画素型の表示素子としての液晶パネル、６…投写光学系としての投写レンズ、８，８Ｂ，８Ｃ，８Ｄ，８Ｅ，８Ｆ…結像変化手段、９…光学素子としての液晶光学部材、５４…色合成光学系としてのクロスダイクロイックプリズム、６２…結像変化手段としての可動部、８１，８１Ａ，８１Ｂ，８３，８３Ａ，８３Ｂ…光学素子としての可動光学部材、８２…駆動手段としてのモータ、８４…駆動手段としてのゴムローラ、８１１，８１１Ａ，８１１Ｂ，８１２Ａ，８３２，８３２Ａ，８３２Ｂ，８３３Ａ…光束透過面としてのガラス板、８１３…拡散面としての拡散フィルム
【図１】
2007208852.tif 000003
【図２】
2007208852.tif 000004
【図３】
2007208852.tif 000005
【図４】
2007208852.tif 000006
【図５】
2007208852.tif 000007
【図６】
2007208852.tif 000008
【図７】
2007208852.tif 000009
【図８】
2007208852.tif 000010
【図９】
2007208852.tif 000011
【図１０】
2007208852.tif 000012
【図１１】
2007208852.tif 000013
【図１２】
2007208852.tif 000014
【図１３】
2007208852.tif 000015
【図１４】
2007208852.tif 000016
【図１５】
2007208852.tif 000017